(57)【特許請求の範囲】
【請求項１】
クロック同期網を構成する通信装置であって、
前記クロック同期網又はクロック配信網から同期クロックを受信する同期クロック受信部と、
そのままの状態の前記同期クロック又は周波数変換をした前記同期クロックを、前記通信装置のシステムクロックとして生成するシステムクロック生成部と、
前記クロック同期網の外部のクロック非同期網に位置する他の通信装置に、前記クロック同期網を構成する前記通信装置の前記システムクロックに同期して、フレームを送信するフレーム送信部と、
を備え、
前記クロック同期網を構成する前記通信装置の前記システムクロックは、前記クロック同期網の外部のクロック非同期網におけるクロック周波数の規定値の範囲内に収まる周波数を有することを特徴とする通信装置。
【請求項２】
前記同期クロックとは非同期の通信装置の送信するクロックに同期して、前記非同期の通信装置からフレームを受信するフレーム受信部、
をさらに備えることを特徴とする、請求項１に記載の通信装置。
【請求項３】
クロック同期網を構成する通信装置における通信方法であって、
前記クロック同期網又はクロック配信網から同期クロックを受信する同期クロック受信ステップと、
そのままの状態の前記同期クロック又は周波数変換をした前記同期クロックを、前記通信装置のシステムクロックとして生成するシステムクロック生成ステップと、
前記クロック同期網の外部のクロック非同期網に位置する他の通信装置に、前記クロック同期網を構成する前記通信装置の前記システムクロックに同期して、フレームを送信するフレーム送信ステップと、
を順に備え、
前記クロック同期網を構成する前記通信装置の前記システムクロックは、前記クロック同期網の外部のクロック非同期網におけるクロック周波数の規定値の範囲内に収まる周波数を有することを特徴とする通信方法。
【請求項４】
前記同期クロックとは非同期の通信装置の送信するクロックに同期して、前記非同期の通信装置からフレームを受信するフレーム受信ステップ、
を前記同期クロック受信ステップ、前記システムクロック生成ステップ及び前記フレーム送信ステップと並行してさらに備えることを特徴とする、請求項３に記載の通信方法。
【請求項５】
クロック同期網に同期クロックを供給する同期クロック供給装置と、
前記クロック同期網を構成する通信装置と、
前記クロック同期網の外部のクロック非同期網に位置する他の通信装置と、
を備える通信システムであって、
前記通信装置は、
前記クロック同期網又はクロック配信網から同期クロックを受信する同期クロック受信部と、
そのままの状態の前記同期クロック又は周波数変換をした前記同期クロックを、前記通信装置のシステムクロックとして生成するシステムクロック生成部と、
前記他の通信装置に、前記クロック同期網を構成する前記通信装置の前記システムクロックに同期して、フレームを送信するフレーム送信部と、
を備え、
前記クロック同期網を構成する前記通信装置の前記システムクロックは、前記クロック同期網の外部のクロック非同期網におけるクロック周波数の規定値の範囲内に収まる周波数を有することを特徴とする通信システム。
【請求項６】
前記通信装置は、
前記同期クロックとは非同期の通信装置の送信するクロックに同期して、前記非同期の通信装置からフレームを受信するフレーム受信部、
をさらに備えることを特徴とする、請求項５に記載の通信システム。
【発明の詳細な説明】
【技術分野】
【０００１】
本発明は、同期網及び非同期網を接続する技術に関する。
【背景技術】
【０００２】
同期網（同期ネットワーク）とは、ネットワークを構成する中継装置、交換装置、宅内終端装置、およびユーザの端末などのクロックが同期しているものを示す。ここで、同期網内の回線によりポート同士が直接接続された２つの装置（あるいは端末）においては、受信側ポートは送信側ポートのクロックを再生し、信号の識別を行っているが、このクロックが網全体でクロック同期している。この結果、送信端末の送信クロックと受信端末の受信クロックは完全に一致でき、リアルタイム・ストリームなどの高品質サービスの伝送が可能となる。装置群のクロックが完全に同期していることから、端末間で信号廃棄のない、低遅延なデータ伝送が実現できるし、装置内のバッファを少なくした上で遅延揺らぎや遅延の少ない高品質な伝送が可能となる。この同期網として、例えば、ＳＤＨ／ＳＯＮＥＴが該当している（例えば、非特許文献１を参照）。
【０００３】
従来技術の同期網の構成を図１に示す。上位側はコアネットワークに近い側であり、下位側はアクセスネットワークに近い側である。同期網では、例えばＳＤＨであれば、ＳＤＨ伝送路を通じて上位局１（のマスタークロック）から下位局２にクロックが供給される。例えば、日本の場合、下位局２の内部では、モジュールＡあるいはモジュールＣと称する伝送装置２１が受信したＳＤＨ信号のクロックをクロックサプライモジュール（ＣＳＭ）２４に入力し、周波数の安定化と変換を行ってシステムクロックを生成し、これを伝送装置２１、交換装置２２及び加入者収容装置２３に供給する。すなわち、下位局２に存在する同期網の装置群（伝送装置２１、交換装置２２及び加入者収容装置２３）は、すべて、上位局１から供給されるクロックに、直接的あるいは間接的に、従属同期することになる。なお、上位局１の加入者収容装置１１及びクロックサプライモジュール１２は、下位局２の加入者収容装置２３及びクロックサプライモジュール２４と同様である。一方、同期網のユーザ宅３においては、端末３２は宅内終端装置３１から供給されるクロックに、宅内終端装置３１は加入者収容装置２３から供給されるクロックに従属同期することになる。従って、同期網では、端末３２を含め、全てがクロック同期することになる。
【０００４】
これに対し、非同期網（非同期ネットワーク）とは、ネットワークを構成する中継装置、交換装置、宅内終端装置、およびユーザの端末などのクロックが同期せず、自走しているものを示す。すなわち、非同期網においては、クロックは、装置（あるいは端末）単位、あるいは、装置（あるいは端末）を構成する部品（ボード、ポート）単位で設けられている。従来技術の非同期網の構成を図２に示す。なお、図１及び図２において符号が同じ構成要素は、相互に同一のものを示すものとする。ここで、非同期網内の回線によりポート同士が直接接続された２つの装置（あるいは端末）においては、受信側ポートは送信側ポートのクロックを再生し、信号の識別を行うものの、網全体でクロック同期していない（同じクロックを利用していない）。非同期網として、例えば、従来型のＥｔｈｅｒｎｅｔ（登録商標）が該当している。このように非同期網は、網全体でクロック同期していないことから、非同期網は同期網に比べ、リアルタイム・ストリームなどの高品質サービスの伝送に不向きであり、また、通信品質の制御が困難である。
【０００５】
このような状況において、Ｅｔｈｅｒｎｅｔ（登録商標）における高品質サービスの提供や品質向上を図るために、近年、非同期網であったＥｔｈｅｒｎｅｔ（登録商標）自体を同期網にする検討が進んでいる。これは、同期Ｅｔｈｅｒｎｅｔ（登録商標）（Ｓｙｎｃｈｒｏｎｉｚｅｄ  Ｅｔｈｅｒｎｅｔ（登録商標））とよばれるものであり、具体的にはネットワーク内のＥｔｈｅｒｎｅｔ（登録商標）装置やユーザの端末のクロックを同期化させるものである（例えば、非特許文献２、３を参照）。
【０００６】
この同期Ｅｔｈｅｒｎｅｔ（登録商標）技術により、フレームフォーマットはＥｔｈｅｒｎｅｔ（登録商標）でありながら、同期網が有する様々な利点を利用することが可能となる。例えば、Ｅｔｈｅｒｎｅｔ（登録商標）フレームの送受信を行う端末同士をクロック同期化させれば、Ｅｔｈｅｒｎｅｔ（登録商標）という普及の著しい規格の端末機器を用い、回線エミュレーションやリアルタイム・ストリームの伝送などが可能となる。また、ネットワーク内のＥｔｈｅｒｎｅｔ（登録商標）装置のクロックの同期化を行えば、帯域の相対的に小さい区間においても通信品質の保証（遅延揺らぎの抑圧など）が容易となる。
【先行技術文献】
【非特許文献】
【０００７】
【非特許文献１】河西宏之、槇一光、辻久雄、上田裕巳、「わかりやすいＳＤＨ／ＳＯＮＥＴ伝送方式」、オーム社、平成１３年。
【非特許文献２】ＩＴＵ−Ｔ  Ｇ．８２６１
【非特許文献３】ＩＴＵ−Ｔ  Ｇ．８２６２
【発明の概要】
【発明が解決しようとする課題】
【０００８】
このように、本来非同期網であったＥｔｈｅｒｎｅｔ（登録商標）を同期網化する同期Ｅｔｈｅｒｎｅｔ（登録商標）には様々なメリットがあるが、ネットワークを構成するＥｔｈｅｒｎｅｔ（登録商標）装置のうち、一部のＥｔｈｅｒｎｅｔ（登録商標）装置や端末を同期網化するだけでも、そのメリットを得ることが可能となることは容易に考え得る。例えば、図２において、ユーザの端末３２、および、それに同期クロックを供給する加入者収容装置２３と宅内終端装置３１を同期網化するだけでも、回線エミュレーションやリアルタイム・ストリーム伝送が可能となる。また、帯域の相対的に小さい区間の装置を同期網化すれば、パケット廃棄や遅延揺らぎや遅延を小さくすることも可能となる。このような一部のＥｔｈｅｒｎｅｔ（登録商標）装置や端末の同期網化は、全体の同期網化に比べ、コスト上のメリットを有する。
【０００９】
しかし、その場合に、同期網化されたＥｔｈｅｒｎｅｔ（登録商標）装置と、非同期網のＥｔｈｅｒｎｅｔ（登録商標）装置が同一レイヤで接続される接続点が発生することになる。この場合、従来の同期網（ＳＯＮＥＴ／ＳＤＨなど）とも、非同期網（従来型Ｅｔｈｅｒｎｅｔ（登録商標）など）とも、クロック供給の形態が異なるので、新たなクロック供給方法を提供する必要がある。
【００１０】
さらに、現実的な運用上の問題として、図２において、ユーザ宅３内に設置される宅内終端装置３１および端末３２は、同期網化されているものとされていないものとがあるところ、双方を同期網に対して接続できるようにしなければならないということがある。すなわち、非同期網の一部同期網への置き換えに当たっては、同期網化された加入者収容装置２３は、同期網化された宅内終端装置３１も、同期網化されていない宅内終端装置３１も接続収容できなければならない、という課題が存在する。また、同様に、同期網化された宅内終端装置３１は、同期網化された端末３２も、同期網化されていない端末３２も接続収容できなければならない、という課題が存在する。
【００１１】
そこで、前記課題を解決するために、本発明は、同期機能を有する通信装置と同期機能を有さない通信装置を接続でき、かつ、同期機能を有する通信装置間では同期機能を損なわない技術を提供することを目的とする。
【課題を解決するための手段】
【００１２】
上記目的を達成するために、クロック同期網又はクロック配信網から同期クロックを受信して、そのままの状態の同期クロック又は周波数変換をした同期クロックをシステムクロックとする。ここで、同期クロックのシステムクロックは、クロック同期網の外部のクロック非同期網におけるクロック周波数の規定値の範囲内に収まる周波数を有する。そして、クロック同期網の外部のクロック非同期網に位置する他の通信装置に、システムクロックに同期して、フレームを送信することができるようにした。
【００１３】
具体的には、本発明は、クロック同期網を構成する通信装置であって、前記クロック同期網又はクロック配信網から同期クロックを受信する同期クロック受信部と、そのままの状態の前記同期クロック又は周波数変換をした前記同期クロックを、前記通信装置のシステムクロックとして生成するシステムクロック生成部と、前記クロック同期網の外部のクロック非同期網に位置する他の通信装置に、前記システムクロックに同期して、フレームを送信するフレーム送信部と、を備えることを特徴とする通信装置である。
【００１４】
また、本発明は、前記システムクロックは、前記クロック同期網の外部のクロック非同期網におけるクロック周波数の規定値の範囲内に収まる周波数を有することを特徴とする通信装置である。
【００１５】
また、本発明は、クロック同期網を構成する通信装置における通信方法であって、前記クロック同期網又はクロック配信網から同期クロックを受信する同期クロック受信ステップと、そのままの状態の前記同期クロック又は周波数変換をした前記同期クロックを、前記通信装置のシステムクロックとして生成するシステムクロック生成ステップと、前記クロック同期網の外部のクロック非同期網に位置する他の通信装置に、前記システムクロックに同期して、フレームを送信するフレーム送信ステップと、を順に備えることを特徴とする通信方法である。
【００１６】
また、本発明は、前記システムクロックは、前記クロック同期網の外部のクロック非同期網におけるクロック周波数の規定値の範囲内に収まる周波数を有することを特徴とする通信方法である。
【００１７】
また、本発明は、クロック同期網に同期クロックを供給する同期クロック供給装置と、前記クロック同期網を構成する通信装置と、前記クロック同期網の外部のクロック非同期網に位置する他の通信装置と、を備える通信システムであって、前記通信装置は、前記クロック同期網又はクロック配信網から同期クロックを受信する同期クロック受信部と、そのままの状態の前記同期クロック又は周波数変換をした前記同期クロックを、前記通信装置のシステムクロックとして生成するシステムクロック生成部と、前記他の通信装置に、前記システムクロックに同期して、フレームを送信するフレーム送信部と、を備えることを特徴とする通信システムである。
【００１８】
また、本発明は、前記システムクロックは、前記クロック同期網の外部のクロック非同期網におけるクロック周波数の規定値の範囲内に収まる周波数を有することを特徴とする通信システムである。
【００１９】
この構成によれば、同期網を構成する通信装置は、システムクロックを利用して、当該同期網を構成する通信装置にフレームを送信することができるのみならず、当該同期網を構成しない通信装置にフレームを送信することもできる。
【００２０】
上記目的を達成するために、同期クロックとは非同期の通信装置の送信するクロックに同期して、非同期の通信装置からフレームを受信することができるようにした。ここで、同期クロック及び他の通信装置の送信するクロックを区別するようにした。
【００２１】
具体的には、本発明は、前記同期クロックとは非同期の通信装置の送信するクロックに同期して、前記非同期の通信装置からフレームを受信するフレーム受信部、をさらに備えることを特徴とする通信装置である。
【００２２】
また、本発明は、前記同期クロックとは非同期の通信装置の送信するクロックに同期して、前記非同期の通信装置からフレームを受信するフレーム受信ステップ、を前記同期クロック受信ステップ、前記システムクロック生成ステップ及び前記フレーム送信ステップと並行してさらに備えることを特徴とする通信方法である。
【００２３】
この構成によれば、同期網を構成する通信装置は、当該同期網を構成する通信装置からフレームを受信することができるのみならず、当該同期網を構成しない通信装置からフレームを受信することもできる。そして、いずれの通信装置の送信するクロックが従属するべき同期クロックであるかを判別することができる。
【発明の効果】
【００２４】
本発明は、同期機能を有する通信装置と同期機能を有さない通信装置を接続でき、かつ、同期機能を有する通信装置間では同期機能を損なわない技術を提供することができる。
【図面の簡単な説明】
【００２５】
【図１】従来技術の同期網の構成を示す図である。
【図２】従来技術の非同期網の構成を示す図である。
【図３】実施形態１の加入者収容装置の構成を示す図である。
【図４】実施形態２の加入者収容装置の構成を示す図である。
【図５】実施形態３の加入者収容装置の構成を示す図である。
【図６】実施形態４の宅内終端装置の構成を示す図である。
【図７】実施形態５の宅内終端装置の構成を示す図である。
【図８】実施形態６の宅内終端装置の構成を示す図である。
【発明を実施するための形態】
【００２６】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。また、本発明は、同期網を構成する通信装置及び同期網を構成しない通信装置が混在する場合に適用することができ、適用する伝送方式をＥｔｈｅｒｎｅｔ（登録商標）に限定されない。
【００２７】
（実施形態１）
実施形態１の加入者収容装置の構成を図３に示す。加入者収容装置２３は、クロック同期網又はクロック配信網に接続されることにより、同期クロックを得る。すなわち、加入者収容装置２３において、コアネットワーク（クロック同期網）に接続されたコアネットワーク側入力ポート２３１、又は、クロック配信網に接続された同期クロック専用回線入力ポート２３４が、同期クロックを受信する。クロック抽出部２３６及びシステムクロック２３７は、そのままの状態の同期クロック又は周波数変換をした同期クロックを、加入者収容装置２３のシステムクロックとして生成する。１つ又は複数のコアネットワーク側入力ポート２３１及び１つ又は複数のアクセスネットワーク側出力ポート２３３の間に、フレーム交換機能を有する下り交換機能部２３２が介在する。１つ又は複数のアクセスネットワーク側入力ポート２３８及び１つ又は複数のコアネットワーク側出力ポート２４０の間に、フレーム交換機能を有する上り交換機能部２３９が介在する。
【００２８】
アクセスネットワーク側出力ポート２３３は、クロック同期網の内部に位置する宅内終端装置３１にフレームを送信するのみならず、クロック同期網の外部に位置する宅内終端装置３１にフレームを送信する。ここで、同期クロックのシステムクロックは、クロック同期網の外部のクロック非同期網におけるクロック周波数の規定値の範囲内に収まる周波数を有する。よって、アクセスネットワーク側出力ポート２３３は、システムクロックに同期して、クロック同期網の内部に位置する宅内終端装置３１にフレームを送信することができるのみならず、クロック同期網の外部に位置する宅内終端装置３１にフレームを送信することができるのである。
【００２９】
コアネットワーク側入力ポート２３１は、クロック同期網の内部に位置する上位局１からフレームを受信するのみならず、クロック同期網の外部に位置する上位局１からフレームを受信する。アクセスネットワーク側入力ポート２３８は、クロック同期網の内部に位置する宅内終端装置３１からフレームを受信するのみならず、クロック同期網の外部に位置する宅内終端装置３１からフレームを受信する。ここで、コアネットワーク側入力ポート２３１及びアクセスネットワーク側入力ポート２３８は、各々の送信元の送信するクロックに同期して、各々の送信元からフレームを受信する。
【００３０】
同期クロックを受信するポートは、コアネットワーク側入力ポート２３１又は同期クロック専用回線入力ポート２３４である。同期クロック専用回線として、例えば、ＧＰＳの１０ＭＨｚ信号やＰＰＳ信号を用いても良い。あるいは、下位局２にＳＤＨ／ＳＯＮＥＴが併設されている場合、クロックサプライモジュール２４が存在することから、クロックサプライモジュール出力信号あるいはＳＤＨ／ＳＯＮＥＴのクロックを用いても良い。さらには、クロック供給だけを目的とした同期Ｅｔｈｅｒｎｅｔ（登録商標）回線を用意しても良い。
【００３１】
クロック同期網の内部に位置する上位局１及びクロック同期網の外部に位置する上位局１が接続される場合には、いずれのコアネットワーク側入力ポート２３１が受信するクロックには従属するべきであるのかを把握する必要があり、あるいは同期クロック専用回線入力ポート２３４が受信するクロックに従属しても良い。クロック同期網の外部に位置する上位局１のみが接続される場合には、いずれのコアネットワーク側入力ポート２３１が受信するクロックにも従属するべきでないことを把握する必要があり、なおかつ同期クロック専用回線入力ポート２３４が受信するクロックに従属する必要がある。
【００３２】
選択部２３５は、コアネットワーク側入力ポート２３１及び同期クロック専用回線入力ポート２３４が受信するクロックのうち、従属するべきクロックを選択する。ここで、選択部２３５は、いずれのコアネットワーク側入力ポート２３１が受信するクロックには従属するべきであるのかを示すテーブルを参照しても良い。または、選択部２３５は、すべてのコアネットワーク側入力ポート２３１が受信するクロックについて、クロックの周波数を測定して適切な周波数のクロックを選択しても良い。
【００３３】
（実施形態２）
実施形態２の加入者収容装置の構成を図４に示す。実施形態２は、実施形態１と比較して、以下が相違する。コアネットワーク側出力ポート２４０は、クロック同期網の内部に位置する上位局１にフレームを送信するのみならず、クロック同期網の外部に位置する上位局１にフレームを送信する。ここで、フレームの送信に利用するクロックは、システムクロックではなく自走クロック２４１であるため、装置の構成が簡易になる。
【００３４】
（実施形態３）
実施形態３の加入者収容装置の構成を図５に示す。実施形態３は、実施形態１と比較して、以下が相違する。コアネットワーク側出力ポート２４０は、クロック同期網の内部に位置する上位局１にフレームを送信するのみならず、クロック同期網の外部に位置する上位局１にフレームを送信する。ここで、同期クロックのシステムクロックは、クロック同期網の外部のクロック非同期網におけるクロック周波数の規定値の範囲内に収まる周波数を有する。よって、コアネットワーク側出力ポート２４０は、システムクロックに同期して、クロック同期網の内部に位置する上位局１にフレームを送信することができるのみならず、クロック同期網の外部に位置する上位局１にフレームを送信することができるのである。
【００３５】
（実施形態４）
実施形態４の宅内終端装置の構成を図６に示す。宅内終端装置３１は、少なくとも加入者収容装置２３との間でクロック同期網を構成する。アクセスネットワーク側入力ポート３１１は、加入者収容装置２３から同期クロックを受信する。クロック抽出部３１４及びシステムクロック３１５は、そのままの状態の同期クロック又は周波数変換をした同期クロックを、宅内終端装置３１のシステムクロックとして生成する。１つのアクセスネットワーク側入力ポート３１１及び１つ又は複数の端末接続ポート側出力ポート３１３の間に、フレーム分離機能を有する下り分離機能部３１２が介在する。１つ又は複数の端末接続ポート側入力ポート３１６及び１つのアクセスネットワーク側出力ポート３１８の間に、フレーム多重機能を有する上り多重機能部３１７が介在する。なお、宅内終端装置３１は、端末３２側に、端末接続ポート側出力ポート３１３とは別に、同期クロック専用回線出力ポートを有しても良い。
【００３６】
端末接続ポート側出力ポート３１３は、クロック同期網の内部に位置する端末３２にフレームを送信するのみならず、クロック同期網の外部に位置する端末３２にフレームを送信する。ここで、同期クロックのシステムクロックは、クロック同期網の外部のクロック非同期網におけるクロック周波数の規定値の範囲内に収まる周波数を有する。よって、端末接続ポート側出力ポート３１３は、システムクロックに同期して、クロック同期網の内部に位置する端末３２にフレームを送信することができるのみならず、クロック同期網の外部に位置する端末３２にフレームを送信することができるのである。
【００３７】
アクセスネットワーク側入力ポート３１１は、クロック同期網の内部に位置する加入者収容装置２３からフレームを受信する。端末接続ポート側入力ポート３１６は、クロック同期網の内部に位置する端末３２からフレームを受信するのみならず、クロック同期網の外部に位置する端末３２からフレームを受信する。ここで、アクセスネットワーク側入力ポート３１１及び端末接続ポート側入力ポート３１６は、各々の送信元の送信するクロックに同期して、各々の送信元からフレームを受信する。なお、アクセスネットワーク側入力ポート３１１は、クロック同期網の外部に位置する装置からもフレームを受信できる。
【００３８】
（実施形態５）
実施形態５の宅内終端装置の構成を図７に示す。実施形態５は、実施形態４と比較して、以下が相違する。アクセスネットワーク側出力ポート３１８は、クロック同期網の内部に位置する加入者収容装置２３にフレームを送信する。なお、アクセスネットワーク側出力ポート３１８は、クロック同期網の外部に位置する装置にもフレームを送信できる。ここで、フレームの送信に利用するクロックは、システムクロックではなく自走クロック３１９であるため、装置の構成が簡易になる。
【００３９】
（実施形態６）
実施形態６の宅内終端装置の構成を図８に示す。実施形態６は、実施形態４と比較して、以下が相違する。アクセスネットワーク側出力ポート３１８は、クロック同期網の内部に位置する加入者収容装置２３にフレームを送信する。なお、アクセスネットワーク側出力ポート３１８は、クロック同期網の外部に位置する装置にもフレームを送信できる。ここで、同期クロックのシステムクロックは、クロック同期網の外部のクロック非同期網におけるクロック周波数の規定値の範囲内に収まる周波数を有する。よって、アクセスネットワーク側出力ポート３１８は、システムクロックに同期して、クロック同期網の内部に位置する加入者収容装置２３にフレームを送信することができるのみならず、クロック同期網の外部に位置する装置にフレームを送信することができるのである。
【産業上の利用可能性】
【００４０】
本発明に係る通信装置、通信方法及び通信システムは、適用する伝送方式をＥｔｈｅｒｎｅｔ（登録商標）に限定されずに、同期網を構成する通信装置及び同期網を構成しない通信装置が混在する場合に適用することができる。
【符号の説明】
【００４１】
１：上位局
２：下位局
３：ユーザ宅
１１：加入者収容装置
１２：クロックサプライモジュール
２１：伝送装置
２２：交換装置
２３：加入者収容装置
２４：クロックサプライモジュール
３１：宅内終端装置
３２：端末
２３１：コアネットワーク側入力ポート
２３２：下り交換機能部
２３３：アクセスネットワーク側出力ポート
２３４：同期クロック専用回線入力ポート
２３５：選択部
２３６：クロック抽出部
２３７：システムクロック
２３８：アクセスネットワーク側入力ポート
２３９：上り交換機能部
２４０：コアネットワーク側出力ポート
２４１：自走クロック
３１１：アクセスネットワーク側入力ポート
３１２：下り分離機能部
３１３：端末接続ポート側出力ポート
３１４：クロック抽出部
３１５：システムクロック
３１６：端末接続ポート側入力ポート
３１７：上り多重機能部
３１８：アクセスネットワーク側出力ポート
３１９：自走クロック
【図１】
0005730719.tif 000002
【図２】
0005730719.tif 000003
【図３】
0005730719.tif 000004
【図４】
0005730719.tif 000005
【図５】
0005730719.tif 000006
【図６】
0005730719.tif 000007
【図７】
0005730719.tif 000008
【図８】
0005730719.tif 000009